(57)【特許請求の範囲】
【請求項１】
非イオン性またはイオン性の界面活性剤を含有してなる水系工業用脱脂洗浄剤により、油脂類の付着している被洗浄物から油脂類を洗浄除去する際に、当該水系工業用脱脂洗浄剤中に含まれてくる油脂類の濃度により当該水系工業用脱脂洗浄剤の液管理をする方法であって、当該水系工業用脱脂洗浄剤中に含まれる油脂類の濃度を、当該水系工業用脱脂洗浄剤の一部に所定量の難水溶性溶剤を添加して油脂類を抽出した後、当該油脂類を抽出した難水溶性溶剤の屈折率から求めることを特徴とする水系工業用脱脂洗浄剤の液管理方法。
【発明の詳細な説明】
【０００１】
【発明の属する技術分野】
本発明は、水系工業用脱脂洗浄剤の液管理方法に関する。詳しくは、水系工業用脱脂洗浄剤を用いて、油脂類の付着している被洗浄物を洗浄する際に、水系工業用脱脂洗浄剤中に含まれてくる油脂類の濃度を求めることにより水系工業用脱脂洗浄剤の液管理を行う方法に関する。
【０００２】
【従来の技術】
油脂類の付着している被洗浄物に工業用脱脂洗浄剤を使用した場合には、工業用脱脂洗浄剤中の油脂類の濃度が高くなり、洗浄性に悪影響を及ぼす。そのため、工業用脱脂洗浄剤を液管理して、一定期間経過後には工業用脱脂洗浄剤の交換を行わなければならない。特に水系工業用脱脂洗浄剤は、一般的に、洗浄剤の寿命が短く、洗浄剤の交換頻度が多く、その液管理が重要である。
【０００３】
従来より、工業用脱脂洗浄剤を液管理する方法としては、当該洗浄剤の屈折率を測定することにより、屈折率との相関関係で当該洗浄剤中の油分濃度を求める方法が一般的に行われている。しかし、かかる屈折率を利用する方法は、溶剤系または準水系の洗浄剤のように、油脂類を完全に均一に溶解することができる洗浄剤には有効な方法であるものの、水系工業用脱脂洗浄剤のように油脂類が白濁、分散して非均一系状態で存在する場合には応用し難い。
【０００４】
また、水系工業用脱脂洗浄剤を液管理する方法としては、水系工業用脱脂洗浄剤のｐＨを測定する方法、電気電導度を測定する方法、または不揮発分を測定する方法等が一般的に行われている。しかし、ｐＨを測定する方法の場合には測定できる洗浄剤の種類が限定され、また電気電導度を測定する方法の場合には希釈する水の水質の変化により影響を受けやすい問題があり、また不揮発分を測定する方法の場合には測定に長時間を要する等の問題がある。
【０００５】
【発明が解決しようとする課題】
本発明は、水系工業用脱脂洗浄剤の液管理を短時間に、かつ正確に行うことができる方法を提供することを目的とする。
【０００６】
【課題を解決するための手段】
本発明者らは前記問題を解決すべく、鋭意検討を重ねた結果、被洗浄物から油脂類を洗浄除去するに従って水系工業用脱脂洗浄剤中に含まれる油脂類を、難水溶性溶剤により抽出し、当該難水溶性溶剤の屈折率を測定すれば、予め求めておいた検量線から、当該洗浄剤中の油分濃度を算出することができることを見出した。本発明は、かかる新たな知見に基づいて完成したものである。
【０００７】
すなわち、本発明は、非イオン性またはイオン性の界面活性剤を含有してなる水系工業用脱脂洗浄剤により、油脂類の付着している被洗浄物から油脂類を洗浄除去する際に、当該水系工業用脱脂洗浄剤中に含まれてくる油脂類の濃度により当該水系工業用脱脂洗浄剤の液管理をする方法であって、当該水系工業用脱脂洗浄剤中に含まれる油脂類の濃度を、当該水系工業用脱脂洗浄剤の一部に所定量の難水溶性溶剤を添加して油脂類を抽出した後、当該油脂類を抽出した難水溶性溶剤の屈折率から求めることを特徴とする水系工業用脱脂洗浄剤の液管理方法に関する。
【０００８】
本発明で使用される水系工業用脱脂洗浄剤は、非イオン性またはイオン性の界面活性剤を含有してなる水系工業用脱脂洗浄剤であり、通常、該洗浄剤中における当該界面活性剤の含有量は、０．０１〜５０重量％程度、好ましくは０．１〜１０重量％である。
【０００９】
非イオン性界面活性剤の具体例としては、ポリオキシアルキレンアルキル（アルキル基の炭素数６以上）エーテル、ポリオキシアルキレンフェノールエーテル、ポリオキシアルキレンアルキルフェノールエーテルなどのポリアルキレングリコールエーテル型非イオン性界面活性剤；ポリアルキレングリコールモノエステル、ポリアルキレングリコールジエステルなどのポリアルキレングリコールエステル型非イオン性界面活性剤；脂肪酸アミドのアルキレンオキサイド付加物；ソルビタン脂肪酸エステル、ショ糖脂肪酸エステルなどの多価アルコール型非イオン性界面活性剤；脂肪酸アルカノールアミド、ポリオキシアルキレンアルキルアミンなどをあげることができる。これら非イオン性界面活性剤は１種を単独でまたは２種以上を適宜に選択して組み合わせて使用できる。なお、前記アルキレンとは、エチレン、プロピレンまたはブチレンをいい、ポリオキシアルキレンとはポリオキシエチレン、ポリオキシプロピレン、ポリオキシブチレンまたはこれらが共重合したものをいう。
【００１０】
イオン性の界面活性剤としては、高級アルコールの硫酸エステル塩、アルキル硫酸エステル塩、ポリオキシエチレンアルキル硫酸エステル塩などの各種公知の硫酸エステル系アニオン性界面活性剤；アルキルスルホン酸塩、アルキルベンゼンスルホン酸塩などの各種公知のスルホン酸塩系アニオン性界面活性剤；アルキルリン酸エステル塩、ポリオキシエチレンアルキルリン酸エステル塩、ポリオキシエチレンアルキルフェニルリン酸エステル塩などのリン酸エステル系アニオン性界面活性剤；アルキル化アンモニウム塩、４級アンモニウム塩などのカチオン性界面活性剤；アミノ酸型、ベタイン型両性界面活性剤などの両性界面活性剤があげられる。
【００１１】
また、本発明の水系工業用脱脂洗浄剤中には、グリコールエーテル系化合物等の各種溶剤や、防錆剤、キレート剤等が水系工業用脱脂洗浄剤の５０重量％未満の範囲であれば含まれていてもよい。
【００１２】
本発明の液管理方法は、かかる水系工業用脱脂洗浄剤により油脂類の付着している被洗浄物から油脂類を洗浄除去した結果、当該水系工業用脱脂洗浄剤中に含まれてくる油脂類の濃度を測定することにより、洗浄剤の寿命（洗浄剤新液との交換時機）を決定しようとするものである。
【００１３】
本発明では水系工業用脱脂洗浄剤中に含まれてくる油脂類の濃度を測定するにあたり、まず当該水系工業用脱脂洗浄剤の一部を取り出し、これに所定量の難水溶性溶剤を添加して油脂類を抽出する。
【００１４】
難水溶性溶剤としては、油脂類への溶解性が良好であり、かつ油脂類と難水溶性溶剤自身の屈折率差が大きいものが好ましい。かかる難水溶性溶剤としては、たとえば、ｎ−ペンタン、ｎ−ヘキサン、ｎ−ヘプタン、ｎ−オクタン、ｎ−ノナン、ｎ−デカン、シクロペンタン、メチルシクロペンタン等の脂肪族または脂環族系溶剤；メチルイソブチルケトン、ジエチルケトン、ジイソプロピルケトン、ジイソブチルケトン、エチル−ｎ−ブチルケトン、メチル−ｎ−アミルケトン等のケトン系溶剤；ｎ−ブタノール、ｎ−ペンタノール、ｎ−ヘキサノール、ｎ−ヘプタノール、２−オクタノール、２−メチル−１−ブタノール、３−メチル−２−ブタノール、４−メチル−２−ペンタノール等のアルコール系溶剤；ジイソプロピルエーテル、エチル−ｔ−ブチルエーテル、ジブチルエーテル、エチルイソアミルエーテル、ジイソアミルエーテル、ジエチルアセタール、ビニルメチルエーテル、ビニルエチルエーテル等のエーテル系溶剤等があげられる。
【００１５】
また、一部取り出す水系工業用脱脂洗浄剤及びこれに添加する難水溶性溶剤の使用量は、検量線を作成する際に用いる水系工業用脱脂洗浄剤および難水溶性溶剤の使用量と同じであり、水系工業用脱脂洗浄剤の種類や被洗浄物の種類等により適宜に決定すればよい。通常、所定量の難水溶性溶剤とは、当該水系工業用脱脂洗浄剤１００重量部に対し、通常１〜１００重量部程度、好ましくは５〜４０重量部程度である。
【００１６】
次いで、油脂類を抽出した難水溶性溶剤の屈折率を測定する。詳しくは、ナトリウム光源より光を測定対象物である油脂類を抽出した難水溶性溶剤に照射し、該難水溶性溶剤を透過した光のナトリウムＤ線に対する屈折率（ｎD ）を測定する。屈折率は、測定対象物の濃度と相関関係にあり、屈折率から、予め作成した検量線により水系工業用脱脂洗浄剤に含まれる油脂類を算出することができる。なお、検量線は既知濃度の油脂類を含有する水系工業用脱脂洗浄剤から、所定量の難水溶性溶剤により油脂類を抽出した後、当該難水溶性溶剤について屈折率を測定して作成しておく。
【００１７】
こうした本発明の液管理方法は、水系工業用脱脂洗浄剤および被洗浄物から洗浄除去する油脂類の種類により検量線が異なるため、これらの種類を固定して使用することが必要となる。但し、これらを変動させる場合には適宜に検量線を補正することにより対処し得ることはもとよりである。また、液温によっても検量線との誤差が生ずるため、油脂類を抽出した難水溶性溶剤の屈折率の測定温度差は±５℃程度以内に調節するのが好ましい。
【００１８】
屈折計としては、特に制限はされず、公知各種の屈折計、例えばアッベ屈折計、プルフリッヒ屈折計、ホールワックス屈折計、アラゴ・レイリー・ハーバー・レーベ屈折計、ゼリー・フィッシャー屈折計などを適宜選択して使用できる。
【００１９】
そして、油脂類を抽出した難水溶性溶剤の屈折率により、当該水系工業用脱脂洗浄剤の液寿命の判断を行い新液との交換時機を決定する。液寿命の判断は、被洗浄物の洗浄条件、水系工業用脱脂洗浄剤の種類などにより変動するため一義的には決定し難いが、通常の洗浄条件下では油脂類の濃度０．５〜５重量％程度が上限とされる。
【００２０】
なお、被洗浄物としては、金属部品、非金属部品、電子部品、ガラス、レンズなどがあげられ、油脂類としては切削油等の一般に当該被洗浄物に付着しているものなどがあげられるが、特にこれらに制限されるものではない。
【００２１】
また、水系工業用脱脂洗浄剤により被洗浄物から油脂類を洗浄除去する手段は特に限定されず、各種公知の手段を採用でき、例えば、水系工業用脱脂洗浄剤に被洗浄物品を直接浸漬して洗浄する方法、該洗浄剤をスプレー装置を使用してフラッシュする方法、機械的手段によりブラッシングする方法、超音波洗浄方法、液中ジェット洗浄方法、揺動方法、直通式洗浄法（たとえば、直通式洗浄装置「ダイレクトパス」、荒川化学工業（株）製を用いる方法）などの各種方法を適宜に選択して採用することができる。
【００２２】
【発明の効果】
本発明によれば、水系工業用脱脂洗浄剤中の油分濃度を短時間で、正確に測定することができ、水系工業用脱脂洗浄剤の交換時機の液管理が容易である。
【００２３】
【実施例】
以下に、実施例をあげて本発明の液管理方法を説明する。
【００２４】
製造例１
ポリオキシエチレン（付加モル数７）ノニルエーテル７０重量部とポリオキシエチレン（付加モル数１２）ノニルエーテル３０重量部からなる混合物に水を加え、これら混合物（有効成分）の含有率が、１．０重量％の水系工業用脱脂洗浄剤を調製した。さらに、当該洗浄剤１００重量部に対して、別々に０．５重量部、１．０重量部、２．０重量部、３．０重量部、４．０重量部または５．０重量部の切削油（日本石油（株）製、「ユニカットＴＨ５」）を添加し、５０℃にて、ビーカー中で１０分間、高速撹拌し、油脂類を含有する水系工業用脱脂洗浄剤を調製した。
【００２５】
製造例２
ポリオキシエチレン（付加モル数７）ノニルエ−テル３０重量部とポリオキシエチレン（付加モル数１２）ノニルエ−テル１０重量部およびジエチレングリコ−ルモノイソプロピルエ−テル６０重量部からなる混合物に水を加え、これら混合物（有効成分）の含有率が、０．５重量％の工業用脱脂洗浄剤を調製した。さらに、当該洗浄剤１００重量部に対して、別々に０．５重量部、１．０重量部、２．０重量部、３．０重量部、４．０重量部または５．０重量部の切削油（日本石油（株）製、「ユニカットＴＨ５」）を添加し、５０℃にて、ビーカー中で１０分間、高速撹拌し、油脂類を含有する水系工業用脱脂洗浄剤を調製した。
【００２６】
実施例１
製造例１で調製した油脂類を含有する水系工業用脱脂洗浄剤５０重量部を試験管に計り取り、メチルイソブチルケトン２０重量部を添加後、約１分間よく振り、その後、試験管を室温まで冷却し、水系工業用脱脂洗浄剤とメチルイソブチルケトンを静置分離した。分離後、上層のメチルイソブチルケトン約１ｇ程度をスポイトてサンプリングし、簡易型屈折率計（荒川化学（株）製、「ＰＩＮＥＣＯＮ  ＰＲ−１００」）にて、屈折率（糖度％換算値）を測定した。測定結果を表１に示す。
【００２７】
実施例２
製造例２で調製した油脂類を含有する水系工業用脱脂洗浄剤５０重量部を試験管に計り取り、ｎ−ヘキサン２０重量部を添加後、約１分間よく振り、その後、試験管を室温まで冷却し、水系工業用脱脂洗浄剤とｎ−ヘキサンを静置分離した。分離後、上層のｎ−ヘキサン約１ｇ程度をスポイトにてサンプリングし、簡易型屈折率計（荒川化学（株）製、「ＰＩＮＥＣＯＮ  ＰＲ−１００」）にて、屈折率（糖度％換算値）を測定した。測定結果を表１に示す。
【００２８】
比較例１
製造例２で調製した油脂類を含有する水系工業用脱脂洗浄剤の約１ｇ程度をスポイトにてサンプリングし、簡易型屈折率計（荒川化学（株）製、「ＰＩＮＥＣＯＮ  ＰＲ−１００」）にて、屈折率（糖度％換算値）を測定した。測定結果を表１に示す。
【００２９】
【表１】
0003651077.tif 000002
【００３０】
実施例１または実施例２のようにして屈折率を測定すれば、表１の結果より検量線を作成でき、かかる検量線から水系工業用脱脂洗浄剤中に含まれる油脂類の濃度を求めることができ、水系工業用脱脂洗浄剤の液管理は容易である。しかし、比較例１のように水系工業用脱脂洗浄剤の屈折率をそのまま測定しても水系工業用脱脂洗浄剤中に含まれる油脂類の濃度を求めることはできず、水系工業用脱脂洗浄剤の液管理はできない。